(57)【要約】      （修正有）【課題】刃物を定位する能力を増加可能な刃物台を提供する。【解決手段】その周面２１によって円筒構造が構成され、円筒構造により刃物挿入空間２２が構成される。周面が円周長さを有し、周面に環状切り口２３が設けられており、環状切り口は周面に沿うように設けられる。周面に切断口２４が設けられており、切断口は、軸方向に沿って周面を切断しており、環状切り口と連通しており、周面の切断口に隣接する箇所では、二つの組付部２５が設けられている本体２０と、二つの組付部に配されており、二つの組付部を緊迫し、又は緩めることが可能である。【選択図】図２
0003183992.tif 000002
【実用新案登録請求の範囲】
【請求項１】
その周面によって円筒構造が構成され、前記円筒構造により刃物挿入空間が構成され、前記周面が円周長さを有し、前記周面に環状切り口が設けられており、前記環状切り口は前記周面に沿うように設けられており、前記周面に切断口が設けられており、前記切断口は、軸方向に沿って前記周面を切断しており、前記環状切り口と連通しており、前記周面の前記切断口に隣接する箇所では、二つの組付部が設けられている本体と、
前記二つの組付部に配されており、前記二つの組付部を緊迫し、又は緩めることが可能である定位ユニットとを含むことを特徴とする、
刃物台。
【請求項２】
前記二つの組付部はラグ構造であり、前記二つの組付部に貫通孔がそれぞれ設けられており、前記二つの貫通孔が互いに対向しており、前記定位ユニットは、クイックリリース装置であり、ねじ軸と、ナットと、操作ハンドルと、を含み、前記ねじ軸は、前記二つの組付部を挿通しており、一端が前記二つの貫通孔を挿通して前記ナットに螺着されており、他端が前記操作ハンドルの偏心ホイール部に枢着されており、前記操作ハンドルを旋回することにより、前記偏心ホイール部が前記二つの組付部を緊迫し、又は緩めることが可能であることを特徴とする、請求項１に記載の刃物台。
【請求項３】
前記二つの組付部に貫通孔がそれぞれ設けられており、前記二つの貫通孔が互いに対向しており、前記ねじ軸は、一端が止め端によって前記組付部のうちの一つに止められており、他端が前記ナットに螺着されており、前記ナットのねじ込みの程度により、前記二つの組付部を緊迫し、又は緩めることが可能であることを特徴とする、請求項１に記載の刃物台。
【請求項４】
前記環状切り口は切り口円弧長さを有し、前記切り口円弧長さは前記円周長さの１／２よりも長いことを特徴とする、請求項１に記載の刃物台。
【請求項５】
前記環状切り口の前記切り口円弧長さは、前記円周長さの２／３であることを特徴とする、請求項４に記載の刃物台。
【考案の詳細な説明】
【技術分野】
【０００１】
本考案は、刃物台に関し、特に、刃物を緊迫して定位可能な刃物台に関するものである。
【背景技術】
【０００２】
従来の刃物台１０は、図１に示すように、円筒状を呈し、スチール玉１１により刃物を係止して定位するものである。しかしながら、このような定位方式によれば、刃物の周面には、スチール玉１１に合せる溝を設けることが必要である。このように、刃物台１０に適用可能な刃物の形態が限られる。
【考案の概要】
【考案が解決しようとする課題】
【０００３】
本考案の主な目的は、刃物を定位する能力を増加可能な刃物台を提供することにある。
【課題を解決するための手段】
【０００４】
本考案の刃物台は、その周面によって円筒構造が構成され、円筒構造により刃物挿入空間が構成され、周面が円周長さを有し、周面に環状切り口が設けられており、環状切り口は周面に沿うように設けられており、周面に切断口が設けられており、切断口は、軸方向に沿って周面を切断しており、環状切り口と連通しており、周面の切断口に隣接する箇所では、二つの組付部が設けられている本体と、二つの組付部に配されており、二つの組付部を緊迫し、又は緩めることが可能である定位ユニットと、を含むことを特徴とする。
【０００５】
本考案の刃物台によると、二つの組付部はラグ構造であり、二つの組付部に貫通孔がそれぞれ設けられており、二つの貫通孔が互いに対向しており、定位ユニットは、クイックリリース装置であり、ねじ軸と、ナットと、操作ハンドルと、を含み、ねじ軸は、二つの組付部を挿通しており、一端が二つの貫通孔を挿通してナットに螺着されており、他端が操作ハンドルの偏心ホイール部に枢着されており、操作ハンドルを旋回することにより、偏心ホイール部が二つの組付部を緊迫し、又は緩めることが可能であることを特徴とする。
【０００６】
本考案の刃物台によると、二つの組付部に貫通孔がそれぞれ設けられており、二つの貫通孔が互いに対向しており、ねじ軸は、一端が止め端によって組付部のうちの一つに止められており、他端がナットに螺着されており、ナットのねじ込みの程度により、二つの組付部を緊迫し、又は緩めることが可能であることを特徴とする。
【０００７】
本考案の刃物台によると、環状切り口は切り口円弧長さを有し、切り口円弧長さは円周長さの１／２よりも長いことを特徴とする。
【０００８】
本考案の刃物台によると、環状切り口の切り口円弧長さは、円周長さの２／３であることを特徴とする。
【考案の効果】
【０００９】
本考案の刃物台によれば、本体に環状切り口と切断口とが設けられているため、二つの組付部が若干に変形可能であり、定位ユニットによる緊迫により、刃物を安定的に定位可能であり、そして多様な刃物の形態に適用可能であるという効果を有する。
【図面の簡単な説明】
【００１０】
【図１】従来の刃物台を示す模式図である。
【図２】本考案の実施例１を示す分解斜視図である。
【図３】本考案の実施例１の組合済み状態を示す斜視図である。
【図４】本考案の実施例１の緩め状態を示す模式図である。
【図５】本考案の実施例１の緊迫状態を示す模式図である。
【図６】本考案の実施例２の緩め状態を示す模式図である。
【図７】本考案の実施例２の緊迫状態を示す模式図である。
【考案を実施するための形態】
【００１１】
以下、本考案の実施の形態を図面に基づいて説明する。
【実施例１】
【００１２】
図２乃至図５を参照する。図２は本考案の実施例１を示す分解斜視図であり、図３は本考案の実施例１の組合済み状態を示す斜視図であり、図４は本考案の実施例１の緩め状態を示す模式図であり、図５は本考案の実施例１の緊迫状態を示す模式図である。本考案の実施例１の刃物台は、本体２０と、定位ユニット３０と、を含む。
【００１３】
本体２０は、その周面２１によって円筒構造が構成され、前記円筒構造により刃物挿入空間２２が構成され、周面２１が円周長さを有する。本体２０は軸方向Ｘに沿って延びている。周面２１に環状切り口２３が設けられている。環状切り口２３は、周面２１に沿うように設けられており、切り口円弧長さを有する。前記切り口円弧長さは前記円周長さの１／２よりも長い。
【００１４】
本実施例では、環状切り口２３の前記切り口円弧長さは、前記円周長さの２／３である。本体２０の周面２１に切断口２４が設けられている。切断口２４は、軸方向Ｘに沿って周面２１を切断しており、環状切り口２３と連通している。本体２０の周面２１の切断口２４に隣接する箇所では、二つの組付部２５が成形されている。
【００１５】
本実施例では、二つの組付部２５がラグ構造であり、二つの組付部２５に貫通孔２５１がそれぞれ設けられており、二つの貫通孔２５１が互いに対向している。
【００１６】
定位ユニット３０は、クイックリリース装置であり、ねじ軸３１と、ナット３２と、操作ハンドル３３と、を含む。ねじ軸３１は、二つの組付部２５を挿通しており、一端が二つの貫通孔２５１を挿通してナット３２に螺着されており、他端が操作ハンドル３３の偏心ホイール部３３１に枢着されている。操作ハンドル３３を旋回することにより、偏心ホイール部３３１が二つの組付部２５を緊迫し、又は緩めることが可能である。
【実施例２】
【００１７】
図６及び図７を参照する。図６は本考案の実施例２の緩め状態を示す模式図であり、図７は本考案の実施例２の緊迫状態を示す模式図である。定位ユニット３０は、ねじ軸３１と、ナット３２と、を含む。
【００１８】
ねじ軸３１は、二つの組付部２５を挿通しており、一端が止め端３１１によって組付部２５のうちの一つに止められており、他端がナット３２に螺着されている。ナット３２のねじ込みの程度により、二つの組付部２５を緊迫し、又は緩めることが可能である。
【００１９】
本考案の刃物台は、定位ユニット３０により、本体２０の二つの組付部２５を緊迫し、又は緩めることが可能である。定位ユニット３０によって二つの組付部２５を緊迫する場合には、本体２０に環状切り口２３と切断口２４とが設けられているため、環状切り口２３と切断口２により、二つの組付部２５が若干に変形して互いに近接可能である。このように、刃物挿入空間２２に収容される刃物を確実に緊迫して定位することが可能である。定位ユニット３０による緊迫により、刃物を安定的に定位可能であり、そして多様な刃物に適用可能である。
【符号の説明】
【００２０】
１０    刃物台
１１    スチール玉
２０    本体
２１    周面
２２    刃物挿入空間
２３    環状切り口
２４    切断口
２５    組付部
３０    定位ユニット
３１    ねじ軸
３２    ナット
３３    操作ハンドル
２５１  貫通孔
３１１  止め端
３３１  偏心ホイール部
Ｘ      軸方向
【図１】
0003183992.tif 000003
【図２】
0003183992.tif 000004
【図３】
0003183992.tif 000005
【図４】
0003183992.tif 000006
【図５】
0003183992.tif 000007
【図６】
0003183992.tif 000008
【図７】
0003183992.tif 000009